(57)【特許請求の範囲】
【請求項１】
フック部（２）を備えた基部（３）と、上記基部（３）に対して取り外し自在のカバー部（１１）とを有し、
上記基部（３）には肉薄部（５）を形成すると共に、上記肉薄部（５）には少なくとも１個のピン取付け用の透孔（７）を設け、上記ピン取付け用の透孔（７）の近傍には取付ピン（Ｐ）の頭部下面の一部と当接可能な枕部（８）を形成し、
上記カバー部（１１）には、その周縁に沿って枠部（１２）が立設されていると共に、上記枕部（１２）には内側に張り出したフランジ部（１３）が対向して形成されており、更に、上記枠部（１２）の外面にはピン（Ｐ）の頭部を受け入れてピン（Ｐ）を押圧できる凹陥部（１４）を形成してなるピンフック。
【請求項２】
上記カバー部（１１）は、上記枠部（１２）及びフランジ部（１３）を介して上記薄肉部（５）の周縁部を摺動させて脱着自在に取り付けてなる請求項１のピンフック。
【請求項３】
上記ピン取り付け用の透孔（７）を複数個形成し、そのうち少なくとも１個は本体の底面に対して垂直に延び、残りの透孔（７）は本体底面に対して斜めに延びている請求項１のピンフック。
【請求項４】
上記凹陥部（１４）の開口部の少なくとも一部には、上記ピン（Ｐ）の頭部と係合できる突起（１６）が形成されている請求項１のピンフック。
【請求項５】
上記ピン（Ｐ）の頭部と当接できる上記肉薄部（５）の前記枕部（８）の対向部には空域（９）を形成し、上記凹陥部（１４）の開口端に形成した前記突起（１６）が、上記空域（９）に位置するピンの頭部と係合できるようにしてなる請求項４のピンフック。
【発明の詳細な説明】
【０００１】
【発明の属する技術分野】
本発明は、主として家屋等の室内の壁面にピンを用いて固着させる、ピンフックと通称されるフックに関するものである。
【０００２】
【従来の技術】
従来、家屋や室内の壁面に取り付けるフックには種々のタイプのものがあり、その固着方法にも接着剤を採用するもの、ネジを用いて螺着するもの、ピン（或いはくぎ）を押し込んで固着するものなどがある。この発明は、石膏ボードには特に有用なピン（或いはくぎ）押し込み型のフック、即ちピンフックに係るものである。
【０００３】
この種のピンフックは、フック本体とは別に固着用ピンを押し込むための専用のパーツ（ピン押し込み具）が付属品として一体、若しくは別体に販売されている。
【０００４】
【発明が解決しようとする課題】
しかしながら、上記従来のピンフックの場合、専用のパーツが必要であるためにその分不経済である。更に、取付けたフック本体を、後になって取付位置変更や何らかの理由の為に取り外す必要が出来た場合には、上記専用パーツが必ずしも身近に保存されているとは限らないので、ピンの引き抜きと再度押し込みのための道具が必要となり、不便であった。その上、ピンは、その頭部が取付面にピッタリと密着状態に打ち込まれているので、引き抜く必要が出来た場合には、その引き抜き作業が容易でなかった。
【０００５】
本発明は上記の課題を解決するためになされたものであって、本体の一部にピン取り付け・取り外しの為の手段が形成された新規なピンフックを提供するものである。
【０００６】
【課題を解決するための手段】
本発明のピンフックは、フック部を備えた基部と、上記基部に対して取り外し自在のカバー部とを有し、
上記基部には肉薄部を形成すると共に、上記肉薄部には少なくとも１個のピン取付け用の透孔を設け、上記ピン取付け用の透孔の近傍には取付ピンの頭部下面の一部と当接可能な枕部を形成し、
上記カバー部には、枠部が立設されていると共に、上記枠部には内側に張り出したフランジ部が対向して形成されており、更に、上記枠部の外面にはピンの頭部を受け入れて上記ピンを押圧可能な凹陥部を形成してなるものである。
【０００７】
好ましい実施態様としては、上記カバー部は、その枠部とフランジ部を上記薄肉部の周縁に沿って摺動させて脱着自在に取り付けてなる。
【０００８】
また、上記ピン取り付け用の透孔を複数個形成し、そのうち少なくとも１個は本体の底面に対して垂直に延び、残りの透孔は本体底面に対して斜めに延びた構成とすることが望ましい。
【０００９】
また、上記凹陥部の開口部の少なくとも一部には、上記ピンの頭部の一部と係合できてピンの引き抜きに作用する突起、叉は引っかけ部を形成することも可能である。
【００１０】
【発明の実施の形態】
【００１１】
【実施例】
本発明の好ましい実施例について図面を参照して説明する。
【００１２】
図１、図２及び図３において、本発明のピンフック１はフック部２を備えた基部３と、この基部３に摺動自在に且つ着脱可能に取り付いたカバー部１１とを有している。
【００１３】
上記基部３は、フック部２に近い位置の膨大部４と、肉薄部５とを有し、膨大部４は厚みだけでなく、図示のように幅も肉薄部５よりも大きく形成されている。これは後述するカバー部１１を取り付けた場合の寸法を考慮して形成されている。
【００１４】
上記肉薄部５の上面には、その底面まで通過した透孔７が複数個（図示例では６個）配列されていて、図示例ではフック部２に近い４個は、図３の通り、斜めに延びた状態で形成され、フック部２から遠い２個の透孔は垂直に形成されている。
【００１５】
図３において、肉薄部５の上記透孔７の開口部近傍には隆起した枕部８が形成され、取付ピンＰの頭部の下面の一部が当接できるようになっていると共に、上記枕部８の対向側には空域９が形成されていて、後で述べるピン取り外しのための空間となっている。この枕部８は、透孔７の方向（垂直叉は斜め）に応じて垂直に或いは斜めに突出して形成されている。
【００１６】
次に、図２と図４において、カバー部１１は前記基部３の肉薄部５に脱着可能に取り付いており、一部を除いた周辺部には図示の通り枠部１２がＵ字状に形成されており、このＵ字状の枠部１２には、内側に張りだしたフランジ部１３が対向して形成されている。上記カバー部１１のＵ字状の枠部１２の外面には、図１、図３及び図５に示す通り、有底の凹陥部１４が形成されており、この凹陥部１４の底面１５でもって取付用ピンＰの頭部を抑えながら押し込めるようになっている。有底凹陥部１４の形状は図３及び図５に示すように、開口部に小さな突起叉は引っかけ部１６を有する略半円形とすれば、この突起または引っかけ部１６を介してピンＰの頭部に引っかけて引き抜くことも可能である。
【００１７】
尚、上記実施例では透孔７の数を６個としてあるが、用途、サイズなどに応じて適宜変更が可能であるし、単一の孔のものとすることもできる。
【００１８】
次に、主に図２と図３を参照して本発明のピンフックの取付方法について説明する。
【００１９】
まず、カバー部１１を取り外した状態の基部３を、その底面６が取り付けようとする壁部（図３の記号Ｗ）の所定位置に接するように、押し当てながらピンＰを透孔７に入れる。次いで、カバー部１１を用いて、ピンＰの頭部をカバー部１１に形成した凹陥部１４の底部１５に押し当てて強く押し込む。これをピンの数だけ繰り返して行い、かくて、図３のように取付壁面Ｗにピン止めにより固着される。この場合、ピンＰは、その頭部の下側の一部が前記枕部８に当接した状態で停止し、それ以上の侵入を防止すると共に、枕部８の反対側（即ち、対向側）には空域９を形成している。取付が完了したら、カバー部１１を基部３の肉薄部５に挿入するようにスライドさせながら、膨大部４の端面と当接するまで移動する。かくてキャップ部１１の装着が終了する。
【００２０】
次に、一旦止着したフック１を取り外す必要が生じた場合には、先ずキャップ部１１をスライド後退させて引き抜き、肉薄部５の表面を露出させ、カバー部１１の凹陥部１４をピンＰの頭部に当接させて、凹陥部１４の突起１６がピンＰの頭部下側に位置させて係合状態とし、そのまま引き抜くことでピンＰを容易に引き抜くことができる。この場合、前記したようにピンＰの頭部は一部では枕部８に当接しながら、他の部分では空域９を残した状態で止着されているので、この空域９を利用して上記凹陥部１４の突起１６がその空域９に位置できるので、ピンＰの引き抜き動作が可能となる。
【００２１】
【発明の効果】
本発明のピンフックは上記のように構成してなるので、従来のようにピン打ちの為の専用の道具を必要としないし、取付位置を変更したりするために取り外す場合においても、突起１６と空域９との組み合わせ構造により、取り外しが容易に行える。即ち、カバー部１１に形成した凹陥部１４を利用して容易にピンＰを押し込むことができるし、押し込んだピンＰは肉薄部５の枕部８に当接するまで押し込んであり、その際に形成された枕部８とは対向側の空域９の存在により、この空域９を利用してピンＰの頭部を引っかけることができるので、容易にピンＰを引き抜くことができる。また、ピンＰの押圧と引き抜きに作用する上記凹陥部１４はフック１の目立たない部分、即ちフック部２の反対側に形成されるので、美観を損なうこともない。
【図面の簡単な説明】
【図１】本発明の好ましい実施例によるピンフックの斜視図である。
【図２】図１のピンフックの分解斜視図である。
【図３】ピンフックを壁面に止着した状態を示す断面図である。
【図４】図２に示すカバー部の側面図である。
【図５】図１のピンフックの側面図である。
１  ピンフック
２  フック部
３  基部
４  膨大部
５  肉薄部
７  透孔
８  枕部
１１  キャップ部
１２  枠部
１３  フランジ部
１４  凹陥部
１６  突起
【図１】
0003849243.tif 000002
【図２】
0003849243.tif 000003
【図３】
0003849243.tif 000004
【図４】
0003849243.tif 000005
【図５】
0003849243.tif 000006